(57)【要約】【課題】室内光のような、測光系の分光感度分布との適合性に問題を有する光源下での撮影においても、アンダー露光に起因する、色のバランスのずれの発生を防止可能とする露光方法および撮影システムを提供すること。【解決手段】例えばＢ，Ｇ色のフィルタを装填したストロボ２台を用意し、これらの点灯時間を制御することにより光源の色を調整して、使用される感材の分光感度分布と、測光系の分光感度分布とに基づいて演算される、現在設定されている露光条件の下で形成される画像の濃度を、予め定めた範囲内に収めるようにする機能を有するカメラ。フィルタは、Ｇ，Ｒ色でもよい。【選択図】図１
2004309773.tif 000002
【特許請求の範囲】
【請求項１】
使用する感材のタイプを判別してその分光感度特性情報を取得し、
使用するカラー感材の３つの感光層のうち相対的な感度の低い方２層の分光感度に対応する分光透過率を有するフィルタを備えた２つの補助光源と、主たる光源からの光を加算した仮想的な光源の分光特性で撮影した際に、昼光時に前記各感光層がそれぞれの分光感度で受け取る光量と同一になるように、前記２つの補助光源を調整し、
この光源調整結果に基づいて前記感材に露光を行う
ことを特徴とする露光方法。
【請求項２】
使用する感材のタイプを判別して分光感度特性情報を取得する感材の分光感度特性情報取得手段と、
使用するカラー感材の３つの感光層のうち相対的な感度の低い方２層の分光感度に対応する分光透過率を有するフィルタを備えた２つの補助光源を有し、
さらに、主たる光源と、前記２つの補助光源からの光を加算した仮想的な光源の分光特性で撮影した際に、昼光時に前記各感光層がそれぞれの分光感度で受け取る光量と同一になるように、前記２つの補助光源を調整する光源調整手段と、
この光源調整手段による調整結果に基づいて前記補助光源を調整して前記感材に露光を行う露光制御手段と
を備えたことを特徴とする撮影システム。
【請求項３】
前記露光制御手段は、
この露光制御手段の有する分光感度情報と、入射光測光手段から取得する入射光量情報と、前記感材の分光感度特性情報取得手段から取得する前記感材の分光感度特性情報とに基づいて、前記感材上に記録される画像情報の濃度を演算する記録濃度演算手段と、
この記録濃度演算手段による演算の結果に基づいて撮影対象画像の平均濃度値を求め、この平均濃度値が予め定めた所定の値になるように、露光条件を決定する露光条件決定手段と
を有することを特徴とする請求項２に記載の撮影システム。
【請求項４】
前記記録濃度演算部において演算される、前記感材上に記録される画像情報の濃度として、ＬＡＴＤを用いることを特徴とする請求項２または３に記載の撮影システム。
【発明の詳細な説明】
【０００１】
【発明の属する技術分野】
本発明は露光方法および撮影システムに関し、より具体的には、簡便に光源の色温度を補正して、適正な画像を容易に得られるようにすることが可能な露光方法および撮影システムに関するものである。
【０００２】
【従来の技術】
通常、用いられる一般用（いわゆる、アマチュア用）の感材であるカラーフィルムは、基本的にデーライトタイプの特性に設計されているため、これを用いて、タングステン灯あるいは蛍光灯などのいわゆる人工光源下での撮影を行った場合には、プリントを作成した場合に、必ずしも十分な再現結果が得られないことが多い。
【０００３】
もちろん、近年は、プリントの焼き付け（以下、単に焼き付けという）を行う際に、種々の焼き付け露光量補正を行って仕上がりを改善する努力がなされているが、それでも、完全にオリジナルのシーンを再現できるまでには、至っているとはいえない状況である。
【０００４】
具体的に問題となるのは、室内光（上述の、タングステン灯あるいは蛍光灯などの人工光源の光）での撮影時に、青感層（以下、Ｂ層という）のアンダー露光が発生し易く、色のバランスが整った画像が得られ難いという問題があった。
以下、この理由を簡単に説明する。
【０００５】
図３は、一般的な、自動露光制御機能に用いられている測光系の分光感度分布を示す図である。この分光感度分布は、人間の目の感度、いわゆる視感度特性を燃したものであり、色の再現性を向上させるためには有効な選択であるとされているものである。また、図４に示したのは、一般的なカラーネガフィルムの分光分布特性である。
【０００６】
図３，図４を突き合わせて考えれば、平均的なシーン、すなわち、全画面中に存在する色の平均濃度値（いわゆる、ＬＡＴＤ）が、ほぼグレイになるようなシーンを、前述の室内光で撮影した場合には、青色光の強度が不足して青味がかったプリント仕上がりとなることが理解されよう。
【０００７】
【発明が解決しようとする課題】
本発明は上記事情に鑑みてなされたものであり、その目的とするところは、従来の技術における前述のような問題を解消して、特に室内光のような、測光系の分光感度分布との適合性に問題を有する光源下での撮影においても、アンダー露光に起因する、色のバランスのずれの発生を防止することにある。
【０００８】
より具体的には、本発明の目的は、上述のような、測光系の分光感度分布との適合性に問題を有する光源下での撮影においても、アンダー露光を発生させることを防止可能とするための露光方法、およびこの方法を具体化した撮影システムを提供することにある。
【０００９】
【課題を解決するための手段】
上記目的を達成するため、本発明に係る露光方法は、使用する感材のタイプを判別してその分光感度特性情報を取得し、使用するカラー感材の３つの感光層のうち相対的な感度の低い方２層の分光感度に対応する分光透過率を有するフィルタを備えた２つの補助光源と、主たる光源からの光を加算した仮想的な光源の分光特性で撮影した際に、昼光時に前記各感光層がそれぞれの分光感度で受け取る光量と同一になるように、前記２つの補助光源を調整し、この光源調整結果に基づいて前記感材に露光を行うことを特徴とする。
【００１０】
また、本発明に係る撮影システムは、使用する感材のタイプを判別して分光感度特性情報を取得する感材の分光感度特性情報取得手段と、使用するカラー感材の３つの感光層のうち相対的な感度の低い方２層の分光感度に対応する分光透過率を有するフィルタを備えた２つの補助光源を有し、さらに、主たる光源と、前記２つの補助光源からの光を加算した仮想的な光源の分光特性で撮影した際に、昼光時に前記各感光層がそれぞれの分光感度で受け取る光量と同一になるように、前記２つの補助光源を調整する光源調整手段と、この光源調整手段による調整結果に基づいて前記補助光源を調整して前記感材に露光を行う露光制御手段とを備えたことを特徴とする。
【００１１】
ここで、前記露光制御手段は、この露光制御手段の有する分光感度情報と、入射光測光手段から取得する入射光量情報と、前記感材の分光感度特性情報取得手段から取得する前記感材の分光感度特性情報とに基づいて、前記感材上に記録される画像情報の濃度を演算する記録濃度演算手段と、この記録濃度演算手段による演算の結果に基づいて撮影対象画像の平均濃度値を求め、この平均濃度値が予め定めた所定の値になるように、露光条件を決定する露光条件決定手段とを有することが好ましい。
【００１２】
また、本発明に係る撮影システムにおいては、前記記録濃度演算部において演算される、前記感材上に記録される画像情報の濃度として、ＬＡＴＤを用いることが好ましい。
【００１３】
【発明の実施の形態】
以下、添付の図面に基づいて、本発明の実施の形態を詳細に説明する。
【００１４】
図１は、本発明の一実施形態に係る撮影システムに用いるためのカメラ１０を含む撮影システムの全体構成を示すブロック図である。図１において、１０は上述のカメラ、３０ａ，３０ｂは補助光源として用いられるストロボ光源を示しており、これらのストロボ光源は、カメラ１０からの制御により、所定の時間だけ発光するように構成されている。
【００１５】
はじめに、補助光源として用いられるストロボ光源３０ａ，３０ｂについて説明する。各ストロボ光源３０ａ，３０ｂとしては、調整を容易にするために、同じ規格のストロボ光源を使うことが好ましいが、必ずしも同じものでなくてもよい。また、ここでは、各ストロボ光源３０ａ，３０ｂに、それぞれ、後述するようにカラーフィルタをセットして用いる。
【００１６】
ここで用いるカラーフィルタは、一般的なＢ，Ｇ，Ｒのフィルタでよい。選択されたカラーフィルタについて、後述する記録濃度演算部２０によって演算される露光値が所定の値になるように、上述のカラーフィルタをセットした各ストロボ光源３０ａ，３０ｂの点灯時間を決定するという手順が実行される（詳細は後述する）。
【００１７】
次に、カメラ１０の内部構成について、図２に基づいて説明する。なお、図２においては、絞りやシャッター機構を含む撮影光学系については、図示を省略している。
１２は入射光の光量を測定するための測光部であり、この測光部１２は、先に図３に示した分光感度特性を有するものである。
【００１８】
１４はこのカメラ１０において使用されるフィルムのタイプ（種別・型番等）を判別する機能を有する感材タイプ判別部であり、例えば、ＡＰＳ（Ａｄｖａｎｃｅｄ  ＰｈｏｔｏＳｙｓｔｅｍ  ）フィルムカートリッジに設定されている情報のような情報を機械式に読み取る方式のものでよい。
【００１９】
１６は記憶部であり、上述のフィルムのタイプと、それに対応するフィルムの分光感度特性（一例を、先に図４に示した）等の情報を記憶している。また、後述するように、この記憶部１６には、露光条件を決定する際に用いる、ＬＡＴＤ値の許容値（最適値とその許容差）ともいうべき閾値が記憶されている。
【００２０】
この記憶部１６は、後述するように、全体制御部１８の制御の下で、感材タイプ判別部１４が読み取ったフィルムのタイプに対応するフィルムの分光感度特性を、記録濃度演算部２０に出力する機能を有することが好ましい。
【００２１】
また、２０は上述の測光部１２から出力される光量情報並びに記憶部１６から出力されるフィルムの分光感度特性に基づいて、予め定められている演算式を用いて、フィルム上に記録される画像の濃度（以下、記録濃度という）を演算・出力する記録濃度演算部を示している。ここでは、記録濃度を前述のＬＡＴＤとして算出する機能を有するものとする。
【００２２】
２２は上述の記録濃度演算部２０により演算・出力された記録濃度情報（ここでは、上記ＬＡＴＤ）について、これを、前述の規定値（閾値）と比較して、もし、前記規定値を下回るものがある場合には、それを用いて露光したときに前記規定値を下回らないような露光量に変更して、ここでの露光条件として決定する露光条件決定部である。
【００２３】
なお、１８は上記各部を制御して、本実施形態に係るカメラの機能を実現する全体制御部を示している。また、ここでは、各部がそれぞれ独立して機能するように記載しているが、これは説明を判りやすくするためであって、実際には各部が適宜連携して動作するものである。従って、記憶機能も、各部がそれぞれ独立に有していてもよく、共通に使用する形態でもよい。
【００２４】
以下、上述のように構成される、本実施形態に係るカメラ１０の動作例を、図５に示すフロー図に従って説明する。
【００２５】
前述のように、カメラ１０は、その記憶部１６内に、撮影に使用するフィルムのタイプに対応する分光感度特性等の情報を記憶している。また、これも先に述べたように、本実施形態においては、この記憶部１６には、露光条件を決定する際に用いる露光値の許容範囲（閾値）が記憶されている。なお、この閾値の記憶場所は、記憶部１６に限られるわけではない。
【００２６】
撮影に先立って、カメラ１０にフィルム（例えば、ＡＰＳフィルムのカートリッジ）が装填されると、カメラ１０の感材タイプ判別部１４がこのフィルムのタイプを判別して、判別した情報（感材タイプ情報）を、現在使用中の感材の情報として記憶部１６に送り、そこに記憶させる。なお、この情報は、必要になるまで、感材タイプ判別部１４が保持しているようにしてもよい。
【００２７】
このような情報が設定された状態のカメラ１０を用いて、実際に撮影を行う場合を考える。ここでは、撮影シーンの平均濃度値が１８％グレー部分（パッチ）からの反射光量と同等であるものと仮定して、現実のシーンの中に配した１８％グレー部分（パッチ）の測定を行って、露光値を求めるようにしている。
【００２８】
ここで、光源としては、感材の設計時の基準である５５００Ｋの黒体放射を想定する。また、前述のカメラ１０と連動するストロボ光源３０ａ，３０ｂには、それぞれ、Ｂ（青）色およびＧ（緑）色のフィルタを装填して用いる。これにより、ある任意の光源下での撮影を行う場合に、ストロボ光源３０ａ，３０ｂの発光時間を制御してＢ色，Ｇ色の光量を変更し、露光値を任意の値に調整することが可能になる。
【００２９】
撮影者は、カメラ１０を、上述のようなパッチを含む撮影対象とする被写体に向けて保持し、ストロボ光源３０ａ，３０ｂを用いずに、シャッターを押す。この場合、本実施形態に係るカメラ１０は、直ちに実際にシャッターを切るのではなく、全体制御部１８の制御の下、まず、自動露光制御を行うための測光を行う（ステップ３０）。
【００３０】
測光部１２は、取得した入射光情報を記録濃度演算部２２に送る。記録濃度演算部２２は、感材タイプ判別部１４もしくは記憶部１６から、そこに記憶されている、現在装填されているフィルムのタイプ情報を読み出し、また、これに対応するフィルムの分感度情報を記憶部１６から読み出して、これらの情報と、上述の測光部１２から送られた入射光情報とを基に、現在設定されている（デフォルトの）露光条件（絞り，シャッター速度等）における、フィルムへの露光値を、各色毎に求め（ステップ３２）、この情報を、露光条件決定部２２に送る。
【００３１】
露光条件決定部２２では、上述の露光値を、記憶部１６に記憶されている露光条件を決定する際に用いる露光値の許容範囲（閾値）と比較し（ステップ３４）、不足分の有無を計算する。現在の露光値が、上述の許容範囲（閾値）に入っている場合には、現在の露光条件のままでの撮影を許可する。
【００３２】
また、現在の露光値が、上述の許容範囲（閾値）を外れている場合には、予め求めてある前述のストロボ光源３０ａ，３０ｂの特性を基に、ストロボ光源３０ａ，３０ｂの発光時間（点灯時間）、つまり、Ｂ，Ｇの露光量を演算する（ステップ３６）。そして、この発光時間だけストロボ光源３０ａ，３０ｂを発光させて、カメラ１０による撮影を行う（ステップ３７，３８）。
【００３３】
本実施例によれば、感材（カラーネガフィルム）の設計時の基準となっている５５００Ｋの黒体放射において撮影したと同じ条件で、任意の光源下における撮影を行うことが可能になり、得られる画像の画質を高品質にすることができるという顕著な効果が得られる。
【００３４】
次に、本発明の他の実施形態に係るカメラ１０の動作例を、図６に示すフロー図に従って説明する。なお、撮影前の、事前準備については、先に説明した実施例（動作例）と同様であるので、説明は省略する。
【００３５】
ここでは、光源として、３１００Ｋと６５００Ｋの黒体放射を用いるものとしている。この条件の下で、３１００Ｋと６５００Ｋの黒体放射での、現在設定されている（デフォルトの）露光条件（絞り，シャッター速度等）における、フィルムへのそれぞれの露光値を計算し、それらの値が同じになるように光量を調節する。
【００３６】
この手順は、機能的には、Ｇ層の対数露光量を同じにすることである。このときのＢ層，Ｒ層の対数露光量は、以下のようになる。
３１００Ｋ：（Ｂ，Ｇ，Ｒ）＝（０．６２，０．００、−０．２４）
６５００Ｋ：（Ｂ，Ｇ，Ｒ）＝（０．１８，０．００，０．０２）
【００３７】
これから、現在設定されている露光条件により自動露光を行うと、３１００Ｋと６５００Ｋの黒体放射では、Ｂ層の対数露光量において約０．４５の差が生じることになって、このままでは、Ｂ層の露光レンジの足部（すなわち、Ｂの軟調部分）での露光が行われることになってしまう。
【００３８】
そこで、本動作例においては、以下のように対処する。
すなわち、例えば、３１００Ｋにおける撮影を行う際に、先に説明した動作例の場合と同様にして、ストロボ光源３０ａ，３０ｂの発光時間（点灯時間）を演算する（ステップ４０〜４８）。
【００３９】
より具体的には、撮影者は、上述の２種類の光源のうちの一方を選択して（ステップ４０）、カメラ１０を、前述のようなパッチを含む撮影対象とする被写体に向けてシャッターを押す。これにより、まず、自動露光制御を行うための測光が行われる（ステップ４２）。
【００４０】
次に、２種類の光源のうちの他方を選択して（ステップ４０）、先ほどと同じ被写体に向けて、シャッターを押す。この場合にも、自動露光制御を行うための測光が行われる（ステップ４２）。測光部１２は、取得した入射光情報を記録濃度演算部２２に送る。
【００４１】
測光部１２は、取得した入射光情報を記録濃度演算部２２に送る。記録濃度演算部２２は、前述のように、現在設定されている（デフォルトの）露光条件（絞り，シャッター速度等）における、フィルムへの露光値を求め（ステップ４４）、この情報を、露光条件決定部２２に送る。
【００４２】
露光条件決定部２２では、上述の２種類の光源のそれぞれに対応する露光値を計算し（ステップ４６）、次に、それらの露光値が同じ値になるように（ここでは、３１００Ｋでの露光値が、６５００Ｋでの露光値に等しくなるように）、ストロボ光源３０ａ，３０ｂの発光時間（点灯時間）、つまり、Ｂ，Ｇの露光量を演算する（ステップ４８）。そして、この発光時間だけストロボ光源３０ａ，３０ｂを発光させて、カメラ１０による撮影を行う（ステップ５０）。
【００４３】
図７に、ストロボ光源３０ａ，３０ｂの発光時間、つまり、Ｂ，Ｇの露光量を調整して、３１００Ｋでの露光値を、６５００Ｋでの露光値に等しくなるようにした場合における、色再現状況の変化の様子を示した。図中、矢印の方向と大きさは、色の変化する方向と大きさを示している。
【００４４】
図７の意味するところは、図の下半分（青色成分の強い色）については、青色を減らす方向に比較的大きな歩変化が見られるのに対して、図の上半分（青色成分の弱い色）についてはほとんど変化が見られず、光源の色に起因する青色の強い撮影結果が解消される方向に補正が行われているということである。
【００４５】
本実施例によれば、３１００Ｋの黒体放射における撮影においてストロボ発光による露光量の調整を行ったことで、実質的に、６５００Ｋの黒体放射において撮影したと同じ条件で撮影したと同様の結果が得られ、撮影された画像の画質を高品質にすることができるという顕著な効果が得られる。
【００４６】
以上、具体例を挙げて詳細に説明したように、本実施形態に係るカメラ１０によれば、特に室内光等の、感材の設計時に考慮している色温度とは異なる色温度の黒体放射下における自動露光制御による撮影に際しても、色の偏りのない良好な撮影結果が得られるという効果がある。
【００４７】
なお、上記実施形態は本発明の一例を示したものであり、本発明はこれに限定されるべきものではなく、本発明の要旨を逸脱しない範囲内において適宜の変更または改良を行ってもよいことはいうまでもない。
【００４８】
例えば、カメラ１０の記憶部１６に記憶させておく情報（感材タイプ，感材の分光感度特性等）は、適宜書き換えが可能なように構成しておくことが好ましい。また、ストロボに装着する光源の色補正用フィルタは、Ｇ，Ｒ色でもよい。なお、上で算出される記録濃度は、ＬＡＴＤ値に限られるものではない。
【００４９】
【発明の効果】
以上、詳細に説明したように、本発明によれば、室内光のような、測光系の分光感度分布との適合性に問題を有する光源下での撮影においても、アンダー露光に起因する、色のバランスのずれの発生を防止可能とする露光方法および撮影システムを実現できるという顕著な効果を得ることができる。
【図面の簡単な説明】
【図１】本発明の一実施形態に係るカメラ１０の内部構成の要部を示すブロック図である。
【図２】実施形態に係るカメラの動作と、このカメラによって撮影されたフィルムのラボにおける処理の動作とをまとめて示したフロー図である。
【図３】一般的な、自動露光制御機能に用いられている測光系の分光感度分布を示す図である。
【図４】一般的なカラーネガフィルムの分光感度曲線である。
【図５】一実施形態に係るカメラの動作例を示すフロー図である。
【図６】他の実施形態に係るカメラの動作例を示すフロー図である。
【図７】実施例の効果を説明する図である。
【符号の説明】
１０  カメラ
１２  測光部
１４  感材タイプ判別部
１６  記憶部
１８  全体制御部
２０  記録濃度演算部
２２  露光条件決定部
２４  記録部
３０〜５０  処理ステップ
【図１】
2004309773.tif 000003
【図２】
2004309773.tif 000004
【図３】
2004309773.tif 000005
【図４】
2004309773.tif 000006
【図５】
2004309773.tif 000007
【図６】
2004309773.tif 000008
【図７】
2004309773.tif 000009